(57)【要約】【課題】  金属製の外装ケースで発生する渦電流を低減させるために、アンテナを構成する磁芯コアケースと金属製の胴との距離や、受信リード板と金属製の胴との距離を長くするためには、金属製の外装ケースの直径を大きくする必要があり、時計が大型化してしまう。【解決手段】  無線機能付き電子時計の角型又は樽型の金属製の外装ケース１１の内部にアンテナ５０をくの字形状に配置してアンテナ５０の両端部５５ａ，５４ａと外装ケース１１の内壁との最短距離Ｌ２，Ｌ３を、アンテナ５０のコイル５２と外装ケース１１の内壁との距離Ｌ１より長くすることで、外装ケース１１で発生する渦電流を低減させることによって、受信性能を低下させずに小型化可能とした。【選択図】  図１
2011027572.tif 000002
【特許請求の範囲】
【請求項１】
磁芯にコイルが巻きつけられ、前記磁芯が前記コイルの両側で該コイルから露出するアンテナと、筒軸方向の両端のうち少なくとも一方が開口した筒形状の金属製の外装ケースとを有し、前記外装ケースの内壁によって囲まれる収納部に前記アンテナを収納した無線機能付き電子時計であって、前記筒軸方向における前記収納部の平面形状が、角型又は樽型であり、前記筒軸方向における前記アンテナの平面形状を略くの字状に形成し、前記アンテナの一方の端部と前記外装ケースの内壁との最短距離、及び、前記アンテナの他方の端部と前記外装ケースの内壁との最短距離が、前記コイルと前記外装ケースの内壁との最短距離よりも長くなるように、前記アンテナを前記外装ケース内に配置したことを特徴とする無線機能付き電子時計。
【請求項２】
前記アンテナは、前記磁芯の両端の少なくとも一方に磁性材料からなる受信リード板が磁気的に接続され、前記受信リード板の端部を前記アンテナの前記一方の端部又は他方の端部の少なくともいずれかとしたことを特徴とする請求項１に記載の無線機能付き電子時計。
【請求項３】
前記アンテナは、前記磁芯の一方の端部と前記受信リード板とを磁性材料からなる接続部材で磁気的に接続し、前記磁芯の他方の端部には、前記接続部材が磁気的に接続され、前記アンテナの他方の端部は、前記接続部材の端部であることを特徴とする請求項２に記載の無線機能付き電子時計。
【請求項４】
前記コイルの中心から前記アンテナの一方の端部までの距離が、前記コイルの中心から前記アンテナの他方の端部までの距離よりも長く、前記アンテナの他方の端部側に位置する前記コイルの端部が、前記アンテナの一方の端部側に位置する前記コイルの端部よりも前記外装ケースの内壁から離れるように、前記アンテナを配置したことを特徴とする請求項１〜３のいずれか１項に記載の無線機能付き電子時計。
【請求項５】
前記コイルと前記外装ケースとの間に磁性部材を配置したことを特徴とする請求項１〜４のいずれか１項に記載の無線機能付き電子時計。
【請求項６】
前記外装ケースの内壁は、１２時側と６時側とに位置して互いに対向する２つの内壁と、３時側と９時側とに位置して互いに対向する２つの内壁とを有し、前記アンテナを前記時計の中心から前記外装ケースの９時側の内壁に寄せて配置し、前記コイルと前記外装ケースの内壁との最短距離は、前記コイルと前記外装ケースの９時側の内壁との最短距離であり、前記アンテナの一方の端部と前記外装ケースの内壁との最短距離が、該アンテナの一方の端部と前記外装ケースの９時側の内壁との距離、又は、該アンテナの一方の端部と前記外装ケースの１２時側の内壁との距離のうち、いずれか短い方の距離であり、前記アンテナの他方の端部と前記外装ケースの内壁との最短距離が、該アンテナの他方の端部と前記９時側の内壁との距離、又は、該アンテナの他方の端部と前記６時側の内壁との距離のうち、いずれか短い方の距離であることを特徴とする請求項１〜５のいずれか１項に記載の無線機能付き電子時計。
【発明の詳細な説明】
【技術分野】
【０００１】
本発明は無線機能付き電子時計に関する。更に詳しくは高感度な電波受信を実現できるようにした無線機能付き電子時計の構造に関するものである。
【背景技術】
【０００２】
無線機能付きで比較的小型の電子時計としては、例えば標準電波を発信している無線局の時刻信号を用いて表示時刻を修正するいわゆる電波時計などがある。それらの電子時計の一つである電波腕時計の従来例を図９に示す。
【０００３】
図９は従来例である電波腕時計の要部のアンテナとケースとの位置関係を示した図である。図９では腕時計の外装であるケースの構成と、ケース内に配置される標準電波受信用のアンテナだけを示している。なお、ケースに内蔵される他の部材である、電波による時刻修正機能を備えた電子時計ムーブメント、その電源、時刻を表示する指針、腕時計の時刻表示面の上面を覆っている時計ガラス等は図示を省略してある。
【０００４】
図９において、金属製の胴８１は腕時計のケースであり、磁芯コアケース８２とコイル８３とは電波を受信するためのアンテナを構成する部材であって、透磁率の高い材料よりなる磁芯を磁芯コアケース８２に収納し、磁芯コアケース８２にコイル８３を巻き付けてある。また、透磁率の高い材料よりなる受信リード板８４と磁芯は、直接接触してないが、磁気的に連結又は接続されており高感度な電波受信を実現する構成である。
【０００５】
図９において、電波腕時計には、金属製の丸型の胴８１の内側に磁芯コアケース８２とコイル８３から構成されるアンテナが少なくとも１つ存在する。また、他の部品配置等の問題から、アンテナが金属製の胴８１の内壁に沿った略くの字形状に形成及び配置されている。他の部品配置等に関しては、図示を省略してある。
【先行技術文献】
【特許文献】
【０００６】
【特許文献１】特開２００７−１８４８９４号公報
【発明の概要】
【発明が解決しようとする課題】
【０００７】
しかし、磁芯コアケース８２や受信リード板８４が金属製の胴８１に沿った形状の場合、磁芯の端部と金属製の胴８１の内壁との距離や、受信リード板８４の端部と金属製の胴８１の内壁との距離が近くなる。特に、小型のムーブメントに関しては部品を配置する場所が限られるため、金属製の胴８１の内壁との距離が近くなってしまう。
このため、従来はこの磁芯コアケース８２の一方の端部や受信リード板８４の一方の端部から、金属製の胴８１を経由し、磁芯コアケース８２の他方の端部や受信リード板８４の他方の端部へと磁気的な回路が構成されることで、受信時にアンテナより発生した磁束がこの回路を流れ、金属製の胴８１において渦電流が発生し、受信性能が低下するという問題があった。
【０００８】
また、磁芯コアケース８２と金属製の胴８１の内壁との距離や、受信リード板８４と金属製の胴８１の内壁との距離を長くするため、金属製の胴８１の直径を大きくすると、時計が大型化してしまい、美観的には好ましくないという問題があった。
【０００９】
本発明の目的は、電子時計の金属製の外装ケースとアンテナの配置によって金属製の外
装ケースで発生する渦電流を低減させることによって、受信性能を低下させずに金属製の外装ケース内にアンテナを内蔵した小型化可能な電子時計を提供することである。
【課題を解決するための手段】
【００１０】
上記目的を達成するため、本発明の無線機能付き電子機器は以下の特徴を有する。
（１）磁芯にコイルが巻きつけられ、磁芯がコイルの両側でコイルから露出するアンテナと、筒軸方向の両端のうち少なくとも一方が開口した筒形状の金属製の外装ケースと、を有し、外装ケースの内壁によって囲まれる収納部にアンテナを収納した無線機能付き電子時計であって、筒軸方向における収納部の平面形状が、角型又は樽型であり、筒軸方向におけるアンテナの平面形状を略くの字状に形成し、アンテナの一方の端部と外装ケースの内壁との最短距離、及び、アンテナの他方の端部と外装ケースの内壁との最短距離の方が、コイルと外装ケースの内壁との最短距離よりも長くなるように、アンテナを外装ケース内に配置したこと。
【００１１】
（２）また、アンテナは、磁芯の両端の少なくとも一方に磁性材料からなる受信リード板が磁気的に接続され、受信リード板の端部を前記アンテナの一方の端部又は他方の端部の少なくともいずれかとしたこと。
【００１２】
（３）また、アンテナは、磁芯の一方の端部と受信リード板とを磁性材料からなる接続部材で磁気的に接続し、磁芯の他方の端部には、接続部材が磁気的に接続され、前記アンテナの他方の端部は、接続部材の端部であること。
【００１３】
（４）また、コイルの中心からアンテナの一方の端部までの距離が、コイルの中心からアンテナの他方の端部までの距離よりも長く、アンテナの他方の端部側に位置するコイルの端部が、アンテナの一方の端部側に位置するコイルの端部よりも外装ケースの内壁から離れるように、アンテナを配置したこと。
【００１４】
（５）また、コイルと外装ケースとの間に磁性部材を配置したこと。
【００１５】
（６）また、外装ケースの内壁は、１２時側と６時側とに位置して互いに対向する２つの内壁と、３時側と９時側とに位置して互いに対向する２つの内壁とを有し、アンテナを時計の中心から外装ケースの９時側の内壁に寄せて配置し、コイルと外装ケースの内壁との最短距離は、コイルと外装ケースの９時側の内壁との最短距離であり、アンテナの一方の端部と外装ケースの内壁との最短距離が、アンテナの一方の端部と外装ケースの９時側の内壁との距離、又は、アンテナの一方の端部と外装ケースの１２時側の内壁との距離のうち、いずれか短い方の距離であり、アンテナの他方の端部と外装ケースの内壁との最短距離が、アンテナの他方の端部と９時側の内壁との距離、又は、アンテナの他方の端部と６時側の内壁との距離のうち、いずれか短い方の距離であること。
【発明の効果】
【００１６】
本発明は、上記に示した構成を採用しているので、金属製の外装ケースの中にアンテナを配置しても時計を大型化せずに金属製の外装ケース内にあるアンテナの受信感度を高めることができるという効果を発揮するものである。
【図面の簡単な説明】
【００１７】
【図１】本発明の第１の実施の形態における電波腕時計の要部上面図である。
【図２】本発明の第１の実施の形態における完成時計を示した上面図である。
【図３】本発明の第１の実施の形態における金属製の胴を示した斜視図である。
【図４】本発明の第１の実施の形態における金属製の胴を示した上面図である。
【図５】本発明の第１の実施の形態におけるアンテナを示した図である。
【図６】本発明の第１の実施の形態の変形例を示した樽型外装の電波腕時計の要部上面図である。
【図７】本発明の第２の実施の形態における電波腕時計の要部上面図である。
【図８】本発明の第２の実施の形態におけるアンテナを示した図である。
【図９】本発明の従来例を示した上面図である。
【発明を実施するための形態】
【００１８】
本発明は、角型又は樽型の金属製の胴の内部に電波を受信するためのアンテナをくの字形状に配置することで、アンテナの端部と金属製の胴とが接近することを回避させ、金属製の胴に生じる損失を極力減らすことによって、無線機能つき電子時計の受信感度を総合的に高めるものである。以下、図面を用いて本発明の各実施の形態について説明する。
【００１９】
図１は本発明の第１の実施の形態である、電波腕時計の要部上面図であり、角型の金属製の胴１１に本発明を適用したものである。図２は第１の実施の形態において、図１に文字板２１および針２２および時計ガラス２３を取り付けた完成時計状態を示す上面図である。図３は図１における角型の金属製の胴の形状を説明する斜視図である。図４は第１の実施の形態における角型の金属製の胴を説明する上面図である。図５は第１の実施の形態において電波を集磁するアンテナを説明する図である。
【００２０】
図１において、角型の外装ケースである胴１１の材質は、例えばＴｉ、ＳＳ、ＡＧ、Ａｕ、ＢＳなどの金属であり、従来類似の部品に用いられて来た材質も含まれる。また、裏蓋１２の材質は、胴１１と同じであっても異なる金属であってもよい。リューズ１３の金属材料についても、胴１１や裏蓋１２と同材質でも異なる材質でもよい。
【００２１】
胴１１の内部にはムーブメント１４が配置され、第１の実施の形態ではムーブメント１４の外形１４’が丸型の例である。ムーブメント１４の内部には輪列や裏周り機構等が集約している輪列部材１５と巻き芯１６、電波を受信するためのアンテナ５０が配置されている。図１のように丸型ムーブメント１４の外形１４’に沿って、くの字形状のアンテナ５０を配置し、それを角型の外装ケースに収納している。
また、非磁性体であって胴１１の内壁４１に沿った外形形状の中枠（図示せず）を備えている。中枠は、ムーブメント外形１４’に沿った円形の部分が筒軸方向３１に貫通したムーブメント１４の支持部材である中枠にムーブメント１４を収納した状態で胴１１にムーブメント１４を収納することで、ムーブメント１４が胴１１の中で固定される。ムーブメント１４をケース１１に内蔵した場合に支持できる構造を持つ場合は中枠が無くてもよい。
【００２２】
図１に示す金属製の外装ケースについて図３、図４を用いて説明する。図３、図４において、胴１１は中空の筒形状であり、その内側を内壁４１とする。また、胴１１の筒軸方向３１の一方には金属製の裏蓋１２がある。さらに、胴１１の３時位置方向にはリューズ１３がある。胴１１の内壁４１は、１２時側と６時側とに位置して互いに対向する２つの内壁４１ａ，４１ｃと、３時側と９時側とに位置して互いに対向する２つの内壁４１ｂ，
４１ｄとを有し、内壁４１によって囲まれる部分はムーブメント１４を収納する収納部であり、この収納部の筒軸方向３１の平面形状は角型である。裏蓋１２は胴１１に対して圧入（合成樹脂のリングを介在させて圧入することもある）、接着または溶接等の手法によって固着される。
【００２３】
図２において、図１のムーブメント１４の上面に文字板２１を取り付け、輪列部品１５に金属製の針２２を取り付け、ムーブメント１４を胴１１の収納部に収納し、筒軸方向３１の裏蓋１２とは反対側より胴１１に対して時計ガラス２３を圧入することで、完成時計状態となる。
【００２４】
図１においてムーブメント１４の内部に配置されているアンテナについて図５を用いて説明する。アンテナ５０を構成する磁芯５１の材質としては、例えばフェライト、アモルファス磁性材料など透磁率の高い材料が用いられる。アンテナ５０は、磁芯５１と共にアンテナ５０を構成するため磁芯５１に巻き付けられたコイル５２と、ガラス２３や文字板２１側の集磁能力を高めるための受信リード板５５と、磁芯５１と受信リード板５５とを接続させるための接続部材である接続端子５４と、アンテナ５０で発生した磁束がアンテナ５０の外部の部材に漏れないようにするカバー５３を有する。カバー５３は、板状の磁性部材であり、裏蓋１２側および胴１１の内壁４１ｄ側に２つ配置されている。カバー５３と接続端子５４と受信リード板５５は磁芯５１と同じ磁性材料で構成しても異なる磁性材料で構成しても構わない。磁芯５１の両端部が、コイル５２の中心軸に対して斜めに形成され、さらに、接続端子５４および受信リード板５５は磁芯５１の少なくとも一方の端部に、コイル５２の中心軸の方向に対して斜めに配置され、筒軸方向３１においてアンテナ５０全体の平面形状が略くの字形状に構成される。
【００２５】
図５に示したアンテナ５０は、磁芯５１の一方の端部側だけに受信リード板５５を設けているが、ムーブメント１４内の部品との関係で、磁芯５１の他方の端部側にも受信リード板を配置するスペースがある場合には、後述する第２の実施の形態のように、磁芯５１の他方の端部側にも設けて受信感度を向上することも可能である。
受信リード板５５および接続端子５４は、磁気的に接続されていれば、磁芯５１に接触しなくても良い。
【００２６】
本発明において、アンテナの端部とは、コイルの両側のコイルが巻きつけられていない部分のうち、筒軸方向３１の平面視でコイルの中心からの直線距離が最も離れた部分である。
第１の実施の形態において、アンテナ５０の一方の端部は接続端子５４を介して磁芯５１に磁気的に接続されている受信リード板５５の端部５５ａとなり、もう一方の端部は接続端子５４の端部５４ａとなる。
【００２７】
図1に示すように、アンテナ５０は時計内に配置される。アンテナ５０は、コイル５２を時計の中心（１２時−６時方向及び９時−３時方向の中心）から胴１１の９時側の内壁４１ｄに寄せて配置され、アンテナ５０の一方の端部である受信リード板５５の端部５５ａは、胴の９時側の内壁４１ｄとの距離Ｌ１よりも１２時側の内壁４１ａとの距離Ｌ２の方が短く、アンテナ５０の他方の端部である接続端子５４の端部５４ａは、胴１１の９時側の内壁４１ｄとの距離よりも６時側の内壁４１ｃとの距離Ｌ３の方が短い。
【００２８】
このようにアンテナ５０を配置することにより、アンテナ５０の一方の端部（受信リード板５５の端部５５ａ）と胴１１の内壁４１ａとの距離や、アンテナ５０の他方の端部（接続端子５４の端部５４ａ）と胴１１の内壁４１ｃとの距離が長くなることにより、これらの間の磁気抵抗が大きくなり、アンテナ５０の一方の端部５５ａから胴１１を通ってアンテナ５０の他方の端部５４ａに至る磁気回路が形成されにくくなり、その結果、アンテ
ナ５０に発生した磁束が胴１１に流れるのを極力減らし、胴１１で発生する渦電流損が少なくなり、受信感度を高めることが出来る。
【００２９】
また、仮に、上記各距離間の条件が満たされた場合であっても、アンテナ５０の一方の端部である受信リード板５５の端部５５ａと胴の１２時側の内壁４１ａとの距離Ｌ２よりも、端部５５ａと９時側の内壁４１ｄとの距離の方が短い場合、あるいは、アンテナ５０の他方の端部である接続端子５４の端部５４ａと胴１１の６時側の内壁４１ｃとの距離Ｌ３よりも、端部５４ａと９時側の内壁４１ｄとの距離の方が短かい場合には、アンテナ５０のコイル５２と胴１１の内壁４１ｄとの最短距離Ｌ１よりも、受信リード板５５の端部５５ａと胴１１の９時側の内壁４１ｄとの距離及び、接続端子５４の端部５４ａと胴１１の９時側の内壁４１ｄとの距離の方が長くなるように構成する必要がある。
【００３０】
すなわち、受信リード板５５の端部５５ａと胴１１の１２時側の内壁４１ａ又は９時側の内壁４１ｄとの距離のうちのいずれか短い方の距離を、アンテナ５０のコイル５２と胴１１の内壁４１ｄとの最短距離Ｌ１よりも長くし、接続端子５４の端部５４ａと胴１１の６時側の内壁４１ｃ又は９時側の内壁４１ｄとの距離のうちのいずれか短い方の距離を、アンテナ５０のコイル５２と胴１１の内壁４１ｄとの最短距離Ｌ１よりも長くする必要がある。
【００３１】
図１に示したアンテナ５０は、コイル５２の中心からアンテナ５０の一方の端部５５ａの距離に比べて、コイル５２の中心からアンテナ５０の他方の端部５４ａの距離の方が短い。従って、コイル５２の中心軸の方向を１２時−６時方向に並行にアンテナ５０を配置すると、アンテナ５０の一方の端部５５ａは胴１１の９時側の内壁４１ｄから遠ざかるが、他方の端部５４ａは胴１１の９時側の内壁４１ｄに近づき、他方の端部５４ａと胴１１の９時側の内壁４１ｄとの間で磁気回路が形成されやすくなる。そこで、第１の実施の形態では、コイル５２の中心軸を１２時−６時方向から、９時−３時方向に傾けて配置することにより、図１に示すように、アンテナ５０の他方の端部５４ａが胴１１の９時側の内壁４１ｄから離れるようにアンテナ５０を配置している。
換言すると、コイル５２の中心からアンテナ５０の一方の端部５５ａの距離に比べて、コイル５２の中心からアンテナ５０の他方の端部５４ａの距離が短い場合に、胴１１におけるコイル５２に最も近い内壁４１ｄに対して、アンテナ５０の一方の端部５５ａ側に位置するコイル５２の端部５２ａよりも、アンテナ５０の他方の端部５４ａ側に位置するコイル５２の端部５２ｂの方が離れるように、アンテナ５０を配置している。
【００３２】
図１のようにアンテナ５０をくの字形状に配置することで、コイル５２の一方の端部５２ａの付近や、受信リード板５５と接続端子５４と磁芯５１が接続されている磁芯接続部分の付近が胴１１の内壁４１ｄに接近してしまう。しかし、アンテナ５０の両端を含め、アンテナ５０全体が胴１１の内壁４１ｄに接近している場合、すなわち、アンテナ５０の一方の端部５５ａや他方の端部５４ａがＬ１の距離で胴１１の内壁４１ｄに比較して、コイル５２の一方の端部５２ａの付近や、磁芯接続部分だけが胴１１の内壁４１ｄに接近している場合は、胴１１に漏れる磁束も少なくなり、受信感度への悪影響は少なくなる。しかも、カバー５３が胴１１の内壁４１ｄと磁芯５１の間に配置されることでコイル５２の一方の端部５２ａの付近や、磁芯接続部分の周囲から漏れる磁束の多くは、渦電流損を生じない磁性部材からなるカバー５３を通過することとなり、胴１１による渦電流損の影響を極力減らすことができる。
【００３３】
また、アンテナ５０におけるコイル５２の付近を、胴１１の内壁４１ｄの方に寄せて配置することができるので、輪列部材１５等のムーブメントを構成する部品を配置する配置スペースを確保することができる。さらに、くの字形状を構成するアンテナ５０の両端部５５ａ，５４ａが、この配置スペースを囲むことになり、アンテナ５０の両端５５ａ，５
４ａもムーブメントを構成する部品の配置を妨げない。従って、効率よく部品を配置することができ、ムーブメントの小型化が可能である。図示しないが、受信リード板５５の下に、受信リード板５５による電波の捕捉に悪影響を及ぼさない部品を配置することができる。
【００３４】
図６に、第１の実施の形態の変形例を示す。図１〜４に示した角型の胴１１の変わりに３時側の外形と、９時側の外形が外側に膨らんだ曲線で、１２時側と６時側の外形が略直線状に形成された筒軸方向の平面形状が樽型の金属製の胴６１の中にムーブメント１４を収納してもよい。樽型の胴６１に圧入される裏蓋６２は胴６１と同様に樽型であり、裏蓋６２は胴６１に対して圧入、接着または溶接等の手法によって固着される。また、胴６１の内壁４１’は１２時側と６時側とに位置して互いに対向する２つの内壁４１ａ’，４１ｃ’と、３時側と９時側とに位置して互いに対向する２つの内壁４１ｂ’，４１ｄ’とを有し、内壁４１によって囲まれる収納部の筒軸方向の平面形状も樽型である。
【００３５】
図１〜図５の角型の胴１１の説明で述べたように、電波受信の阻害効果は金属製の胴に対して内部に配置したアンテナの端部と胴の内壁との距離に関係するため、このように樽型の胴６１の内部にアンテナ５０をくの字形状で配置し、極力アンテナ５０の５５ａ，５４ａと胴１１の内壁との距離を遠くすることで、角型の胴の電波時計の場合と同様に、感度向上ができるという効果を有するものである。
【００３６】
また、第１の実施の形態のように、胴１１を角型又は樽型とし、胴１１や６１の内壁４１や４１’によって囲まれる収納部の平面長手方向（１２時−６時方向）に、アンテナ５０の両端部を配置する（一方の端部５５ａを１２時側、他方の端部５４ａを６時側に配置する）ことにより、アンテナ５０のそれぞれの端部５５ａ、５４ａと胴１１や６１の内壁との距離Ｌ２、Ｌ３を十分にとることができる。
【００３７】
図７は本発明の第２の実施の形態である、電波腕時計の要部上面図であり、角型の金属製の胴１１に本発明を適用したものである。図８は第２の実施の形態において電波を集磁するアンテナを説明する図である。図７、図８において、既述の第１の実施の形態と実質的に同じ役割を持つ部材には図１、図２、図３、図４、図５の各部と同じ符号を与えて、重複する説明を避けることとする。
【００３８】
第２の実施の形態が第１の実施の形態と異なるのは、アンテナの構成である。
図７において、金属製の胴１１の内部にはムーブメント７４が配置され、第２の実施の形態も第１の実施の形態と同様にムーブメント７４の外形７４’が丸型の例である。また、丸型ムーブメント７４の外形７４’に沿って、くの字形状のアンテナ５０’を配置し、それを角型ケースである胴１１の収納部内に収納している。
【００３９】
図７においてムーブメント７４の内部に配置されているアンテナ５０’について図８を用いて説明する。図８は、磁芯５１の両端に接続端子５４および受信リード板５５がコイル５２の中心軸の方向に対して斜めに配置され、アンテナ５０’全体がくの字形状に構成される。
【００４０】
受信リード板５５および接続端子５４は、磁気的に接続されていれば、磁芯５１に接触しなくても良い。第２の実施の形態においてアンテナ５０’の端部は磁芯５１に磁気的に接続されている２つの受信リード板５５のそれぞれの端部５５ａ１，５５ｂ１となる。
【００４１】
第２の実施の形態も、第１の実施の形態と同様の効果を有する。すなわち、アンテナ５０’をくの字形状に配置することで、胴１１の内壁４１（４１ａ〜４１ｄ）からアンテナ５０’の両端（受信リード板５５の端部５５ａ１，５５ａ２）を離して配置することがで
き、胴１１に漏れる磁束が少なくなり、受信感度への悪影響は少なくなる。
【００４２】
しかも、アンテナ５０’におけるコイル５２の付近を、胴１１の内壁４１ｄの方に寄せて配置することができるので、輪列部材１５等のムーブメントを構成する部品を配置する配置スペースを確保することができる。さらに、くの字形状を構成するアンテナ５０’の両端部５５ａ１，５５ｂ１が、この配置スペースを囲むことになり、アンテナ５０’の両端５５ａ１，５５ｂ１もムーブメントを構成する部品の配置を妨げない。従って、効率よく部品を配置することができ、時計の小型化が可能である。
【００４３】
さらに、第２の実施の形態のようにアンテナ５０’を構成する磁芯の両端に受信リード板が磁気的に接続されることによって第１の実施の形態よりも受信の感度向上ができるという効果を有するものである。
また、小型のムーブメントにおいて、ムーブメントの部品の中でアンテナの割合が多くなることで輪列部材１５などの配置が困難となる場合には、アンテナ５０’以外のムーブメント部品の配置を優先し、左右の受信リード板の形状はそれぞれ、ムーブメント内に配置可能な形状として同一でなくても良い。
【００４４】
第１の実施の形態や第２の実施の形態は、アンテナが受信リード板や接続端子を有する場合の例であるが、本発明は、受信リード板や接続端子を有していないアンテナにも適用することができる。
例えば、図７の電波腕時計よりも受信性能が低くても良い場合は、例えば、図７において、アンテナ５０’の両端に設けられた２つの受信リード板５５や２つの接続端子５４を設けなくても良い。
【００４５】
この場合は、磁芯５１におけるコイル５２の中心軸に対して曲がっている両端部分の長さを長くして、磁芯５１の一方の端部と胴１１の１２時側の内壁４１ａ又は９時側の内壁４１ｄとの距離のうちのいずれか短い方の距離を、アンテナ５０’のコイル５２と胴１１の内壁４１ｄとの最短距離Ｌ１よりも長くし、磁芯５１の他方の端部と胴１１の６時側の内壁４１ｃ又は９時側の内壁４１ｄとの距離のうちのいずれか短い方の距離を、アンテナ５０’のコイル５２と胴１１の内壁４１ｄとの最短距離Ｌ１よりも長くなるように構成する。
【符号の説明】
【００４６】
１１  胴
１２  裏蓋
１３  リューズ
１４  ムーブメント
１４’ムーブメント外形
１５  輪列部材
１６  巻き芯
２１  文字板
２２  針
２３  時計ガラス
３１  筒軸方向
４１  胴内壁
４１’胴内壁
５０  アンテナ
５０’アンテナ
５１  磁芯
５２  コイル
５３  カバー
５４  接続端子
５５  受信リード板
６１  胴
６２  裏蓋
７４  ムーブメント
７４’ムーブメント外形
８１  胴
８２  磁芯コアケース
８３  コイル
８４  受信リード板
Ｌ１  胴の内壁とアンテナの一方の端部の最短距離
Ｌ２  胴の内壁とアンテナの他方の端部の最短距離
Ｌ３  胴の内壁とアンテナのコイルの最短距離
【図１】
2011027572.tif 000003
【図２】
2011027572.tif 000004
【図３】
2011027572.tif 000005
【図４】
2011027572.tif 000006
【図５】
2011027572.tif 000007
【図６】
2011027572.tif 000008
【図７】
2011027572.tif 000009
【図８】
2011027572.tif 000010
【図９】
2011027572.tif 000011